(57)【要約】【課題】モータの回転角度を左右均等にした場合に、縦ルーバの回転角度を従来よりも左右均等に近いようにする。【解決手段】複数の縦ルーバ１１０，１１０・・と、モータ１２０と、モータの駆動力によって回動する回動バー１３０と、一方が回動バーに連結され、他方が複数の縦ルーバに連結される連結バー１４０，１４１，１４６とを備える吹き出しシステム１００が提供される。連結バーは、回動バーによって左右方向にスライドされることによって、複数の縦ルーバを左右方向に回動させる。回動バーには回動軸１３２が取り付けられる。連結バーには回動軸が枢支される回動孔１４２Ｘが形成される。回動孔１４２Ｘは、モータに向かって長孔に形成される。【選択図】図４
2017096526.tif 000002
【特許請求の範囲】
【請求項１】
複数の縦ルーバと、
モータと、
前記モータの駆動力によって回動する回動バーと、
一方が前記回動バーに連結され、他方が前記複数の縦ルーバに連結される連結バーとを備え、
前記連結バーは、前記回動バーによって左右方向にスライドされることによって、前記複数の縦ルーバを左右方向に回動させ、
前記回動バーには回動軸が取り付けられ、前記連結バーには前記回動軸が枢支される回動孔が形成され、
前記回動孔は、前記モータに向かって長孔に形成される、吹き出しシステム。
【請求項２】
複数の縦ルーバと、
モータと、
前記モータの駆動力によって回動する回動バーと、
一方が前記回動バーに連結され、他方が前記複数の縦ルーバに連結される連結バーとを備え、
前記連結バーは、前記回動バーによって左右方向にスライドされることによって、前記複数の縦ルーバを左右方向に回動させ、
前記連結バーには回動軸が取り付けられ、前記回動バーには前記回動軸が枢支される回動孔が形成され、
前記回動孔は、前記モータとは逆の方向に向かって長孔に形成される、吹き出しシステム。
【請求項３】
複数の縦ルーバと、
モータと、
前記モータの駆動力によって回動する回動バーと、
一方が前記回動バーに連結され、他方が前記複数の縦ルーバに連結される連結バーとを備え、
前記連結バーは、前記回動バーによって左右方向にスライドされることによって、前記複数の縦ルーバを左右方向に回動させ、
前記連結バーには複数の回動孔が形成され、前記複数の縦ルーバの各々には前記回動孔に枢支される回動軸が取り付けられ、
前記回動孔は、前記縦ルーバの基軸とは逆の方向に向かって長孔に形成される、吹き出しシステム。
【請求項４】
複数の縦ルーバと、
モータと、
前記モータの駆動力によって回動する回動バーと、
一方が前記回動バーに連結され、他方が前記複数の縦ルーバに連結される連結バーとを備え、
前記連結バーは、前記回動バーによって左右方向にスライドされることによって、前記複数の縦ルーバを左右方向に回動させ、
前記連結バーには複数の回動軸が取り付けられ、前記複数の縦ルーバの各々には前記回動軸が枢支される回動孔が形成され、
前記回動孔は、前記縦ルーバの基軸の方向に向かって長孔に形成される、吹き出しシステム。
【請求項５】
伝熱管と、
前記伝熱管を結束バンドによって固定するための側板とを備え、
前記側板に、前記結束バンドの差し込みを誘導するための傾斜部が形成される、伝熱管の保持システム。
【請求項６】
前記側板に、前記結束バンドの横方向の移動を規制するための側壁が形成される、請求項５に記載の伝熱管の保持システム。
【請求項７】
前記結束バンドを逆から差し込んだときに前記結束バンドが前記傾斜部に当接しにくいように、前記傾斜部の端部を外側にずらす、請求項５または６に記載の伝熱管の保持システム。
【請求項８】
前記結束バンドを逆から差し込んだときに前記結束バンドが前記傾斜部に当接しにくいように、前記傾斜部の端部に障害物を設ける、請求項５または６に記載の伝熱管の保持システム。
【発明の詳細な説明】
【技術分野】
【０００１】
本発明は、空気調和機などの空気の吹き出しシステムに関する技術、あるいは伝熱管を保持するための技術に関する。
【背景技術】
【０００２】
従来から、空気調和機などの吹き出し口の構造に関して、各種の技術が提案されてきた。たとえば、特開２０１３−１３７１５８号公報（特許文献１）には、空気調和機が開示されている。特開２０１３−１３７１５８号公報（特許文献１）によると、空気調和機は、冷媒と熱交換された空気を吹き出す吹き出しグリルと、吹き出しグリルの横方向に一定間隔をおいて配置された左右風向変更羽根と、左右風向変更羽根を連結する連結桟と、左右風向変更羽根を揺動する駆動手段と、駆動手段と連結桟とを結合するアームとを備え、アームに付勢力を与える付勢手段をさらに備えたことにより、風圧による左右風向変更羽根のがたつきを防止することができる。
【０００３】
また、伝熱管を保持するための構造に関して、各種の技術が提案されてきた。たとえば、特開２０１１−２３１９６１号公報（特許文献２）には、熱交換装置が開示されている。特開２０１１−２３１９６１号公報（特許文献２）によると、第１の熱交換器と第２の熱交換器とをその通風面が互いに対面するよう近接配置し、第１の熱交換器の側面に固定され第１取付板と、第２の熱交換器の側面に固定された第２取付板とが互いに対面させて締結固定する。この際、第１取付板は、第２取付板を対面させて連結固定可能な大きさのスペースを有し、該スペースに第２取付板から側方に突出する複数段の冷媒管の管端を挿入する複数段の挿入孔を形成し、その挿入孔は、冷媒管の端部管径よりも大きく形成されると共に、複数段の挿入孔のうち少なくとも一部の挿入孔には、第２熱交換器の冷媒管の端部を所定の位置に導く案内壁が形成される。
【先行技術文献】
【特許文献】
【０００４】
【特許文献１】特開２０１３−１３７１５８号公報
【特許文献２】特開２０１１−２３１９６１号公報
【発明の概要】
【発明が解決しようとする課題】
【０００５】
しかしながら、吹き出しシステムの縦ルーバを左方向に回転させる場合、モータアームの回転角を右方向に回転させる場合よりもわずかに大きくしなければならない。そのため、モータアームの回転角を左右均等にすることができず、ソフトウェアによる制御が煩雑になる。そこで、本発明の目的は、モータまたはモータアームの回転角度を左右均等にした場合に、縦ルーバの回転角度を従来よりも左右均等に近いようにすることにある。
【課題を解決するための手段】
【０００６】
この発明のある態様に従うと、複数の縦ルーバと、モータと、前記モータの駆動力によって回動する回動バーと、一方が前記回動バーに連結され、他方が前記複数の縦ルーバに連結される連結バーとを備える吹き出しシステムが提供される。前記連結バーは、前記回動バーによって左右方向にスライドされることによって、前記複数の縦ルーバを左右方向に回動させる。前記回動バーには回動軸が取り付けられる。前記連結バーには前記回動軸が枢支される回動孔が形成される。前記回動孔は、前記モータに向かって長孔に形成される。
【０００７】
この発明の別の局面に従うと、複数の縦ルーバと、モータと、前記モータの駆動力によって回動する回動バーと、一方が前記回動バーに連結され、他方が前記複数の縦ルーバに連結される連結バーとを備える吹き出しシステムが提供される。前記連結バーは、前記回動バーによって左右方向にスライドされることによって、前記複数の縦ルーバを左右方向に回動させる。前記連結バーには回動軸が取り付けられる。前記回動バーには前記回動軸が枢支される回動孔が形成される。前記回動孔は、前記モータとは逆の方向に向かって長孔に形成される。
【０００８】
この発明の別の局面に従うと、複数の縦ルーバと、モータと、前記モータの駆動力によって回動する回動バーと、一方が前記回動バーに連結され、他方が前記複数の縦ルーバに連結される連結バーとを備える吹き出しシステムが提供される。前記連結バーは、前記回動バーによって左右方向にスライドされることによって、前記複数の縦ルーバを左右方向に回動させる。前記連結バーには複数の回動孔が形成される。前記複数の縦ルーバの各々には前記回動孔に枢支される回動軸が取り付けられる。前記回動孔は、前記縦ルーバの基軸とは逆の方向に向かって長孔に形成されている。
【０００９】
この発明の別の局面に従うと、複数の縦ルーバと、モータと、前記モータの駆動力によって回動する回動バーと、一方が前記回動バーに連結され、他方が前記複数の縦ルーバに連結される連結バーとを備える吹き出しシステムが提供される。前記連結バーは、前記回動バーによって左右方向にスライドされることによって、前記複数の縦ルーバを左右方向に回動させる。前記連結バーには複数の回動軸が取り付けられる。前記複数の縦ルーバの各々には前記回動軸が枢支される回動孔が形成される。前記回動孔は、前記縦ルーバの基軸の方向に向かって長孔に形成されている。
【００１０】
この発明の別の局面に従うと、伝熱管と、前記伝熱管を結束バンドによって固定するための側板とを備える伝熱管の保持システムが提供される。前記側板に、前記結束バンドの差し込みを誘導するための傾斜部が形成される。
【００１１】
好ましくは、前記側板に、前記結束バンドの横方向の移動を規制するための側壁が形成される。
【００１２】
好ましくは、前記結束バンドを逆から差し込んだときに前記結束バンドが前記傾斜部に当接しにくいように、前記傾斜部の端部を外側にずらす。
【００１３】
好ましくは、前記結束バンドを逆から差し込んだときに前記結束バンドが前記傾斜部に当接しにくいように、前記傾斜部の端部に障害物を設ける。
【発明の効果】
【００１４】
以上のように、この発明によれば、モータまたはモータアームの回転角度を左右均等にした場合に、縦ルーバの回転角度を従来よりも左右均等に近いようにすることができる。あるいは、結束バンドが邪魔にならないように、空気調和機などの伝熱管を従来よりも容易に取り付けることができる保持システムを提供することができる。
【図面の簡単な説明】
【００１５】
【図１】第１の実施の形態にかかる吹き出しシステム１００を搭載する空気調和機１の室内機の外観図である。
【図２】第１の実施の形態にかかる吹き出しシステム１００の斜視図である。
【図３】第１の実施の形態にかかる吹き出しシステム１００の主要な部材の斜視図である。
【図４】第１の実施の形態にかかる吹き出しシステム１００の主要な部材の平面図である。
【図５】第１の実施の形態においては回動バー１３０の周囲を示す拡大平面図である。
【図６】第１の実施の形態にかかるモータ１２０の平面図である。
【図７】第１の実施の形態にかかる回動バー１３０の平面図である。
【図８】第１の実施の形態にかかる第１の連結バー１４１の平面図である。
【図９】第１の実施の形態にかかる第２の連結バー１４６の平面図である。
【図１０】第１の実施の形態にかかる、縦ルーバ１１０，１１０・・・が左へ回動されたときの、吹き出しシステム１００の主要な部材の平面図である。
【図１１】第１の実施の形態にかかる、縦ルーバ１１０，１１０・・・が左へ回動されたときの、回動バー１３０の周囲を示す拡大平面図である。
【図１２】第１の実施の形態にかかる、縦ルーバ１１０，１１０・・・が右へ回動されたときの、吹き出しシステム１００の主要な部材の平面図である。
【図１３】第１の実施の形態にかかる、縦ルーバ１１０，１１０・・・が右へ回動されたときの、回動バー１３０の周囲を示す拡大平面図である。
【図１４】第３の実施の形態にかかる第２の連結バー３４６を示す平面図である。
【図１５】第７の実施の形態にかかる空気調和機１の室内機の熱交換器の伝熱管２５０を保持するための側板２００を示す斜視図である。
【図１６】第７の実施の形態にかかる空気調和機１の室内機の熱交換器の伝熱管２５０を保持するための側板２００を示す側面図である。
【図１７】第７の実施の形態にかかる空気調和機１の室内機の熱交換器の伝熱管２５０のヘアピン部２５０Ａ，２５０Ａ・・・、すなわち伝熱管２５０の側端部が差し込まれた側板２００を示す側面図である。
【図１８】第７の実施の形態にかかる結束バンド２９０が側板２００に差し込まれる直前における、側板２００とヘアピン部２５０Ａ，２５０Ａ・・・と結束バンド２９０の断面図である。
【図１９】第７の実施の形態にかかる結束バンド２９０が側板２００に差し込まれている途中における、側板２００とヘアピン部２５０Ａ，２５０Ａ・・・と結束バンド２９０の断面図である。
【図２０】第７の実施の形態にかかる結束バンド２９０が側板２００に差し込まれた後における、側板２００とヘアピン部２５０Ａ，２５０Ａ・・・と結束バンド２９０の断面図である。
【図２１】第８の実施の形態にかかる結束バンド２９０が側板２００に差し込まれている途中における、側板２００とヘアピン部２５０Ａ，２５０Ａ・・・と結束バンド２９０の断面図である。
【図２２】第９の実施の形態にかかる結束バンド２９０が逆方向から側板２００に差し込まれている途中における、側板２００とヘアピン部２５０Ａ，２５０Ａ・・・と結束バンド２９０の断面図である。
【図２３】第１０の実施の形態にかかる結束バンド２９０が逆方向から側板２００に差し込まれている途中における、側板２００とヘアピン部２５０Ａ，２５０Ａ・・・と結束バンド２９０の断面図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和機１の全体構成＞
【００１７】
まず、本実施の形態にかかる吹き出しシステム１００を搭載する空気調和機１について説明する。なお、図１は、本実施の形態にかかる吹き出しシステム１００を搭載する空気調和機１の室内機の外観図である。
【００１８】
図１を参照して、本実施の形態にかかる空気調和機１は、そのヒートポンプシステムによって冷やされた空気、あるいは暖められた空気を、吹き出しシステム１００を介して、室内に吹き出す。
＜吹き出しシステム１００の全体構成＞
【００１９】
次に、図２から図９を参照しながら、本実施の形態にかかる吹き出しシステム１００について説明する。なお、図２は、本実施の形態にかかる吹き出しシステム１００の斜視図である。図３は、本実施の形態にかかる吹き出しシステム１００の主要な部材の斜視図である。図４は、本実施の形態にかかる吹き出しシステム１００の主要な部材の平面図である。図５は、本実施の形態においては回動バー１３０の周囲を示す拡大平面図である。図６は、本実施の形態にかかるモータ１２０の平面図である。図７は、本実施の形態にかかる回動バー１３０の平面図である。そして、図８は、本実施の形態にかかる第１の連結バー１４１の平面図である。図９は、本実施の形態にかかる第２の連結バー１４６の平面図である。
【００２０】
吹き出しシステム１００は、吹き出す空気の左右の方向を制御するための複数の縦ルーバ１１０，１１０・・・を含む。縦ルーバ１１０，１１０・・・の各々は、左右方向に回動可能に、その後端部が空気調和機１の本体に軸支されている。当該後端部を基軸ともいう。そして、縦ルーバ１１０，１１０・・・の各々は、その前端部が第２の連結バー１４６に連結されている。
【００２１】
一方、空気調和機１の端部には、縦ルーバ１１０，１１０・・・を駆動するためのモータ１２０が搭載されている。モータ１２０は、その上面から回動軸１２１が突設されている。回動軸１２１には、回動バー１３０すなわちモータアーム、の後部１３１が取り付けられている。
【００２２】
回動バー１３０の前部には、回動軸１３２が形成されている。そして、第１の連結バー１４１の右端部１４２が、回動バー１３０の回動軸１３２に軸支されている。
【００２３】
より詳細には、本実施の形態にかかる第１の連結バー１４１の右端部１４２には、連結孔１４２Ｘが形成されている。連結孔１４２Ｘは、前後方向に長い長穴形状を有する。特に、連結孔１４２Ｘは、第１の連結バー１４１の前後方向の中央線から、モータ１２０の回動軸１２１側に伸びた長穴である。
【００２４】
たとえば、本実施の形態においては、回動バー１３０の回動軸１３２の半径がＸである。そして、連結孔１４２Ｘは、第２の連結バー１４６の前後方向の中央線からモータ１２０の方向へ向かって距離Ｙ（＞Ｘ）の長穴に形成されている。連結孔１４２Ｘは、第２の連結バー１４６の前後方向の中央線からモータ１２０とは逆の方向へ向かって距離Ｘとなるように形成されている。
【００２５】
なお、本実施の形態にかかる連結バー１４１と回動バー１３０との連結は、回動バー１３０の回動軸１３２を連結バー１４１の連結孔１４２Ｘに、回動バー１３０の係止辺１３２Ｙを連結バー１４１の凹部１４２Ｙに、通してから互いに水平方向に回動することによって成し得る。
【００２６】
本実施の形態においては、第１の連結バー１４１が、ドレンパン１９０の連通孔１９０Ｘを貫通している。
【００２７】
第１の連結バー１４１の左端部１４３は、第２の連結バー１４６の右端部１４７に連結される。第２の連結バー１４６には、縦ルーバ１１０，１１０・・・それぞれの前方に位置する場所に、取り付け部材１４８，１４８・・・が配置されている。そして、縦ルーバ１１０，１１０・・・それぞれの前部の回動軸が、取り付け部材１４８，１４８・・・の凹部１４８Ｘ，１４８Ｘ・・・に嵌め込まれることによって、縦ルーバ１１０，１１０・・・の前部が回動可能に第２の連結バー１４６に連結される。
【００２８】
つまり、本実施の形態においては、第１の連結バー１４１と第２の連結バー１４６とが、モータ１２０からの駆動力を縦ルーバ１１０，１１０・・・に伝達する連結バー１４０を構成する。
【００２９】
なお、本実施の形態においては、第２の連結バー１４６の端部１４９には、空気調和機１の室内機の本体に対して左右方向へスライドするためのスライド孔１４９Ｘが形成されている。
【００３０】
以下、縦ルーバ１１０，１１０・・・の回動について説明する。まず、図４および図５に示す状態から、図１０および図１１に示すように、図示しない制御部からの指令によって、モータ１２０が時計周りに回動する。それに伴って回動バー１３０が時計周りに回動する。それに伴って、第１の連結バー１４１と第２の連結バー１４６とによって構成される連結バー１４０が、左方向へスライドする。それに伴って、複数の縦ルーバ１１０，１１０・・・が左へ回動する。
【００３１】
逆に、図４および図５に示す状態から、図１２および図１３に示すように、図示しない制御部からの指令によって、モータ１２０が反時計周りに回動する。それに伴って回動バー１３０が反時計周りに回動する。それに伴って、第１の連結バー１４１と第２の連結バー１４６とによって構成される連結バー１４０が、右方向へスライドする。それに伴って、複数の縦ルーバ１１０，１１０・・・が右へ回動する。
【００３２】
なお、本実施の形態においては、第１の連結バー１４１の連結孔１４２Ｘが、モータ１２０の回動軸１２１の方向へ向かって長穴に形成されているので、回動バー１３０が回動しても、第１の連結バー１４１の右端部１４２が後部へ引っ張られにくくなる。すなわち、第１の連結バー１４１と第２の連結バー１４６とが、従来よりも左右方向にまっすぐスライドしやすくなる。その結果、縦ルーバ１１０，１１０・・・が左右方向にスムーズに回動しやすくなり、モータ１２０による縦ルーバ１１０，１１０の回動角度の制御が容易になる。
【００３３】
また、本実施の形態においては、図２、図４、図５、図１１、図１３に示すように、第１の連結バー１４１すなわち連結バー１４０がドレンパン１９０の連通孔１９０Ｘを貫通する構成である上に、第１の連結バー１４１すなわち連結バー１４０の連結孔１４２Ｘが後方のみに伸びた長穴である。そのため、連通孔１９０Ｘを前方に広げなくても、第１の連結バー１４１すなわち連結バー１４０の前面が連通孔１９０Ｘにぶつかる可能性を低減することができ、騒音を小さくすることができる。
＜第２の実施の形態＞
【００３４】
上記の第１の実施の形態においては、第１の連結バー１４１の連結孔１４２Ｘが、モータ１２０の方向へ向けて、長穴に形成されたものである。しかしながら、本実施の形態としては、回動バー１３０側に連結孔を形成し、第１の連結バー１４１すなわち連結バー１４０側に連結孔に通す回動軸を形成してもよい。この場合は、回動バー１３０の連結孔を、モータ１２０の回動軸とは逆の方向に向けた長穴となるように形成することが好ましい。
【００３５】
これによって、回動バー１３０が回動しても、第１の連結バー１４１の右端部１４２が後部へ引っ張られにくくなる。すなわち、第１の連結バー１４１と第２の連結バー１４６とが、従来よりも左右方向にまっすぐスライドしやすくなる。その結果、縦ルーバ１１０，１１０・・・がスムーズに回動しやすくなり、モータ１２０による縦ルーバ１１０，１１０の回動角度の制御が容易になる。
＜第３の実施の形態＞
【００３６】
第１の実施の形態においては、第１の連結バー１４１の連結孔１４２Ｘをモータ１２０の方向へ向けて、長穴に形成したものである。しかしながら、本実施の形態としては、第２の連結バー１４６の凹部１４８Ｘ，１４８Ｘ・・・の代わりに連結孔を形成し、縦ルーバ１１０，１１０・・・のそれぞれの前部に第２の連結バー１４６のそれぞれの連結孔に通す軸を形成してもよい。
【００３７】
なお、本実施の形態においては、第１の連結バー１４１の連結孔１４２Ｘは通常の回動孔に形成することができる。
【００３８】
ここでは、図１４を参照して、本実施の形態にかかる第２の連結バー３４６の構成について説明する。図１４は、本実施の形態にかかる第２の連結バー３４６を示す平面図である。
【００３９】
第２の連結バー３４６には、縦ルーバ１１０，１１０・・・のそれぞれの前方に位置する場所に、取り付け部材３４８，３４８・・・が配置されている。取り付け部材３４８，３４８・・・のそれぞれには、縦ルーバ１１０の前部の回動軸が通される連結孔３４８Ｘ，３４８Ｘ・・・が形成されている。
【００４０】
そして、連結孔３４８Ｘ，３４８Ｘ・・・の各々は、モータ１２０の回動軸１２１の方向とは逆の方向、換言すれば空気調和機１の前方、さらに換言すれば吹き出し方向、に伸びた長穴形状に形成されている。
【００４１】
これによって、回動バー１３０が回動しても、縦ルーバ１１０，１１０・・・の前部の回動軸が、後方へ引っ張られにくくなる。その結果、縦ルーバ１１０，１１０・・・がスムーズに回動しやすくなり、モータ１２０による縦ルーバ１１０，１１０の回動角度の制御が容易になる。
＜第４の実施の形態＞
【００４２】
第３の実施の形態においては、第２の連結バー３４６の連結孔３４８Ｘ，３４８Ｘ・・・をモータ１２０とは逆の方向へ向けて、長穴に形成したものである。しかしながら、本実施の形態としては、縦ルーバ１１０，１１０・・・のそれぞれの前部に連結孔を形成し、第２の連結バー１４６に当該連結孔のそれぞれに通す回動軸を形成してもよい。この場合は、縦ルーバ１１０，１１０・・・の連結孔を、モータ１２０の回動軸１２１の方向、換言すれば空気調和機１の後方、に伸びた長穴形状に形成されている。
【００４３】
これによって、回動バー１３０が回動しても、縦ルーバ１１０，１１０・・・の前部の連結孔が、後方へ引っ張られにくくなる。その結果、縦ルーバ１１０，１１０・・・がスムーズに回動しやすくなり、モータ１２０による縦ルーバ１１０，１１０の回動角度の制御が容易になる。
＜第５の実施の形態＞
【００４４】
第１〜第４の実施の形態においては、第１の連結バー１４１と第２の連結バー１４６とが別々の部材であった。しかしながら、本実施の形態としては、第１の連結バー１４１と第２の連結バー１４６とが、１本の部材であってもよい。そして、当該１つの連結部材の右端部が回動バー１３０に連結され、左側が縦ルーバ１１０，１１０・・・の各々の前部に連結されてもよい。
＜第６の実施の形態＞
【００４５】
第１から第５の実施の形態にかかる吹き出しシステム１００は、室内に配置される空気調和機１の室内機に利用されるものであった。しかしながら、本実施の形態としては、空気調和機１に限らず、空気清浄器の吹き出し口や、カーエアコンの吹き出し口などにも利用することができる。
＜第７の実施の形態＞
【００４６】
次に、空気調和機１の室内側の熱交換器の伝熱管の保持構成について説明する。図１５は、本実施の形態にかかる空気調和機１の室内機の熱交換器の伝熱管２５０を保持するための側板２００を示す斜視図である。図１６は、本実施の形態にかかる空気調和機１の室内機の熱交換器の伝熱管２５０を保持するための側板２００を示す側面図である。図１７は、本実施の形態にかかる空気調和機１の室内機の熱交換器の伝熱管２５０のヘアピン部２５０Ａ，２５０Ａ・・・、すなわち伝熱管２５０の側端部が差し込まれた側板２００を示す側面図である。
【００４７】
本実施の形態においては、空気調和機１の室内機の側部には、図１５から図１７に示すような側板２００が設けられる。側板２００には、室内熱交換器の伝熱管２５０のヘアピン部２５０Ａ，２５０Ａ・・・が差し込まれるための孔部２００Ａ，２００Ａ・・・・・・が形成される。伝熱管２５０のヘアピン部２５０Ａは、孔部２００Ａ，２００Ａ・・・・・・に差し込まれた状態で、結束バンド２９０によって側板２００に固定される。
【００４８】
そして特に、本実施の形態にかかるヘアピン部２５０Ａの側板２００に対する固定構造においては、側板２００の、結束バンド２９０の差し込み位置に、結束バンド２９０の差し込みを容易にするための傾斜部２００Ｂ，２００Ｂが設けられている。なお、傾斜部２００Ｂ，２００Ｂの数は、差し込む結束バンド２９０の数に応じて変更することが好ましい。
【００４９】
また、当該傾斜部２００Ｂ，２００Ｂの各々の両側には、結束バンド２９０が横方向に位置ずれしないように、また結束バンド２６０の挿入をガイドするための、側壁２００Ｃ，２００Ｃが形成されている。
【００５０】
また、側板２００の裏側には、結束バンド２９０を通すための凹部２００Ｄ，２００Ｄ・・・が形成されている。
【００５１】
以下では、ヘアピン部２５０Ａ，２５０Ａ・・・の側板２００への固定方法について詳述する。図１８は、本実施の形態にかかる結束バンド２９０が側板２００に差し込まれる直前における、側板２００とヘアピン部２５０Ａ，２５０Ａ・・・と結束バンド２９０の断面図である。図１９は、本実施の形態にかかる結束バンド２９０が側板２００に差し込まれている途中における、側板２００とヘアピン部２５０Ａ，２５０Ａ・・・と結束バンド２９０の断面図である。図２０は、本実施の形態にかかる結束バンド２９０が側板２００に差し込まれた後における、側板２００とヘアピン部２５０Ａ，２５０Ａ・・・と結束バンド２９０の断面図である。
【００５２】
まず、図１８に示すように、たとえば空気調和機１の室内機の組み立て作業員は、伝熱管２５０のヘアピン部２５０Ａ，２５０Ａのそれぞれを孔部２００Ａ，２００Ａ・・・・・・のそれぞれに差し込む。そして、作業員は、結束バンド２９０を傾斜部２００Ｂに沿って側板２００の裏側へ向かって差し込む。
【００５３】
次に、図１９に示すように、作業員は、結束バンド２９０を、傾斜部２００Ｂに沿って、側板２００の裏側を通過させる。本実施の形態においては、図１７および図１９に示すように、作業員は、結束バンド２９０を、側板２００の内側から外側へ向かって差し込むことになる。
【００５４】
より詳細には、作業員は、結束バンド２９０の先端部２９０Ｘを、第１のヘアピン部２５０Ａの裏側と、側板２００に形成された第１の凹部２００Ｄと、第２のヘアピン部２５０Ａの裏側と、側板２００に形成された第２の凹部２００Ｄと、第３のヘアピン部２５０Ａの裏側と、側板２００に形成された第３の凹部２００Ｄとを通して、側板２００の外側へ突出させる。
【００５５】
そして、図２０に示すように、作業員は、結束バンド２９０の先端部２９０Ｘを、側板２００の外側で折り返して、傾斜部２００Ｂの近傍で、結束バンド２９０の基部２９０Ｙに差し込む。作業員は、結束バンド２９０の先端部２９０Ｘを、基部２９０Ｙから引っ張り出すことによって、ヘアピン部２５０Ａを側板２００に強固に固定し、基部２９０Ｙから突出した先端部２９０Ｘ側を切り落とす。
【００５６】
このように、本実施の形態においては側板２００に傾斜部２００Ｂ，２００Ｂを形成した。これによって、作業員が、結束バンド２９０，２９０の先端部２９０Ｘ，２９０Ｘを、側板２００の内側から差し込みやすくなる。その結果、作業者が、結束バンド２９０を側板２００の外側から差し込んで、側板２００から結束バンド２９０の一部、たとえば基部２９０Ｙなどが側板２００からはみ出すことを防止しやすくなる。
＜第８の実施の形態＞
【００５７】
上記第７の実施の形態においては、側板２００の傾斜部２００Ｂが、まっすぐな平面であった。しかしながら、本実施の形態においては、図２１に示すように、側板２００の傾斜部２００Ｂが、曲線形状に構成されている。これによって、結束バンド２９０が、曲面に沿って差し込みやすくなる。
＜第９の実施の形態＞
【００５８】
上記第７および第８の実施の形態においては、図１８〜図２１において、側板２００の傾斜部２００Ｂの下端が、側板２００の下端と略一致していた。しかしながら、本実施の形態においては、図２２に示すように、側板２００の傾斜部２００Ｂの下端が、側板２００の下端よりも上に位置する。
【００５９】
これによって、空気調和機１の室内機の組み立て作業者が、結束バンド２９０を逆から、すなわち側板２００の外側から、差し込んだ際に、結束バンド２９０の先端部２９０Ｘが傾斜部２００Ｂに当たりにくくなる。すなわち、結束バンド２９０の先端部２９０Ｘが傾斜部２００Ｂの下方へ逃げてしまいやすい。その結果、作業者が、誤って結束バンドを側板２００の外側から差し込むことを防止することができる。
＜第１０の実施の形態＞
【００６０】
上記第７および第８の実施の形態においては、図１８〜図２１において、側板２００の傾斜部２００Ｂの下端が、側板２００の下端と略一致していた。しかしながら、本実施の形態においては、図２３に示すように、側板２００の傾斜部２００Ｂの下端に、障害物８００を設ける。
【００６１】
これによって、空気調和機１の室内機の組み立て作業者が、結束バンド２９０を逆から、すなわち側板２００の外側から、差し込んだ際に、結束バンド２９０の先端部２９０Ｘが、障害物８００に当たって、傾斜部２００Ｂの下方へ逃げてしまいやすい。その結果、作業者が、誤って結束バンドを側板２００の外側から差し込むことを防止することができる。
＜まとめ＞
【００６２】
上記の第１と第５と第６の実施の形態においては、複数の縦ルーバ１１０，１１０・・と、モータ１２０と、モータ１２０の駆動力によって回動する回動バー１３０と、一方が回動バー１３０に連結され、他方が複数の縦ルーバ１１０，１１０・・・に連結される連結バー１４０，１４１，１４６とを備える吹き出しシステム１００が提供される。連結バー１４０，１４１，１４６は、回動バー１３０によって左右方向にスライドされることによって、複数の縦ルーバ１１０，１１０・・・を左右方向に回動させる。回動バー１３０には回動軸１３２が取り付けられる。連結バー１４０，１４１，１４６には回動軸１３２が枢支される回動孔１４２Ｘが形成される。回動孔１４２Ｘは、モータ１２０に向かって長孔に形成される。
【００６３】
上記の第２と第５と第６の実施の形態においては、複数の縦ルーバ１１０，１１０・・・と、モータ１２０と、モータ１２０の駆動力によって回動する回動バー１３０と、一方が回動バー１３０に連結され、他方が複数の縦ルーバ１１０，１１０・・・に連結される連結バー１４０，１４１，１４６とを備える吹き出しシステム１００が提供される。連結バー１４０，１４１，１４６は、回動バー１３０によって左右方向にスライドされることによって、複数の縦ルーバ１１０，１１０・・・を左右方向に回動させる。連結バー１４０，１４１，１４６には回動軸が取り付けられる。回動バー１３０には回動軸が枢支される回動孔が形成される。回動孔は、モータ１２０とは逆の方向に向かって長孔に形成される。
【００６４】
上記の第３と第５と第６の実施の形態においては、複数の縦ルーバ１１０，１１０・・・と、モータ１２０と、モータ１２０の駆動力によって回動する回動バー１３０と、一方が回動バー１３０に連結され、他方が複数の縦ルーバ１１０，１１０・・・に連結される連結バー１４０，１４１，３４６とを備える吹き出しシステム１００が提供される。連結バー１４０，１４１，３４６は、回動バー１３０によって左右方向にスライドされることによって、複数の縦ルーバ１１０，１１０・・・を左右方向に回動させる。連結バー１４０，１４１，３４６には複数の回動孔３４８Ｘ、３４８Ｘ・・・が形成される。複数の縦ルーバの各々には回動孔３４８Ｘ，３４８Ｘ・・・に枢支される回動軸が取り付けられる。回動孔３４８Ｘ，３４８Ｘ・・・は、縦ルーバ１１０，１１０・・・の基軸とは逆の方向に向かって長孔に形成されている。
【００６５】
上記の第４と第５と第６の実施の形態においては、複数の縦ルーバ１１０，１１０・・・と、モータ１２０と、モータ１２０の駆動力によって回動する回動バー１３０と、一方が回動バー１３０に連結され、他方が複数の縦ルーバ１１０，１１０・・・に連結される連結バー１４０とを備える吹き出しシステム１００が提供される。連結バー１４０は、回動バー１３０によって左右方向にスライドされることによって、複数の縦ルーバ１１０，１１０・・・を左右方向に回動させる。連結バー１４０には複数の回動軸が取り付けられる。複数の縦ルーバ１１０，１１０・・・の各々には回動軸が枢支される回動孔が形成される。回動孔は、縦ルーバ１１０，１１０・・・の基軸の方向に向かって長孔に形成されている。
【００６６】
上記の第７〜第１０の実施の形態においては、伝熱管２５０と、伝熱管２５０を結束バンド２９０によって固定するための側板２００とを備える伝熱管の保持システムが提供される。側板２００に、結束バンド２９０の差し込みを誘導するための傾斜部２００Ｂ，２００Ｂが形成される。
【００６７】
上記の第７〜第１０の実施の形態においては、側板２００に、結束バンド２９０の横方向の移動を規制するための側壁２００Ｃ，２００Ｃが形成される。
【００６８】
上記の第９の実施の形態においては、結束バンド２９０を逆から差し込んだときに結束バンド２９０が傾斜部２００Ｂに当接しにくいように、傾斜部２００Ｂの端部を外側にずらす。
【００６９】
上記の第１０の実施の形態においては、結束バンド２９０を逆から差し込んだときに結束バンド２９０が傾斜部２００Ｂに当接しにくいように、傾斜部２００Ｂの端部に障害物８００を設ける。
【００７０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７１】
１        ：空気調和機
１００    ：吹き出しシステム
１１０    ：縦ルーバ
１２０    ：モータ
１２１    ：回動軸
１３０    ：回動バー
１３１    ：後部
１３２    ：回動軸
１３２Ｙ  ：係止辺
１４０    ：連結バー
１４１    ：第１の連結バー
１４２    ：右端部
１４２Ｘ  ：回動孔（連結孔）
１４２Ｙ  ：凹部
１４３    ：左端部
１４６    ：第２の連結バー
１４７    ：右端部
１４８    ：取り付け部材
１４８Ｘ  ：凹部
１４９    ：端部
１４９Ｘ  ：スライド孔
１９０    ：ドレンパン
１９０Ｘ  ：連通孔
２００    ：側板
２００Ａ  ：孔部
２００Ｂ  ：傾斜部
２００Ｃ  ：側壁
２００Ｄ  ：凹部
２５０    ：伝熱管
２５０Ａ  ：ヘアピン部
２６０    ：結束バンド
２９０    ：結束バンド
２９０Ｘ  ：先端部
２９０Ｙ  ：基部
３４６    ：第２の連結バー
３４８    ：取り付け部材
３４８Ｘ  ：回動孔（連結孔）
８００    ：障害物
【図１】
2017096526.tif 000003
【図２】
2017096526.tif 000004
【図３】
2017096526.tif 000005
【図４】
2017096526.tif 000006
【図５】
2017096526.tif 000007
【図６】
2017096526.tif 000008
【図７】
2017096526.tif 000009
【図８】
2017096526.tif 000010
【図９】
2017096526.tif 000011
【図１０】
2017096526.tif 000012
【図１１】
2017096526.tif 000013
【図１２】
2017096526.tif 000014
【図１３】
2017096526.tif 000015
【図１４】
2017096526.tif 000016
【図１５】
2017096526.tif 000017
【図１６】
2017096526.tif 000018
【図１７】
2017096526.tif 000019
【図１８】
2017096526.tif 000020
【図１９】
2017096526.tif 000021
【図２０】
2017096526.tif 000022
【図２１】
2017096526.tif 000023
【図２２】
2017096526.tif 000024
【図２３】
2017096526.tif 000025